(57)【要約】【課題】ラベル等のシートに印字した個人情報を、容易かつ迅速に判読不能にして、個人情報の漏洩を防止すること。【解決手段】  本個人情報保護シート１０は、各々特性の異なる三枚のシート（シート１、シート２、台紙３）から構成されており、シート１、シート２及び台紙３を、この順番で互いに接着して貼り合わせることで、本個人情報保護シートが１枚形成される。シート１及びシート２は、インクを透過しない材質と、インクを透過する材質とから形成されており、個人情報保護シート１０には、それぞれのシートのインクを透過しない材質Ａで構成されている部分に「あ」が分割されて印字されて、シート２をシート１から、シート１を台紙３からそれぞれ剥離すると、図示のように、「あ」を分割して判読不能にすることができる。【選択図】図２
2010085635.tif 000002
【特許請求の範囲】
【請求項１】
透明な１又は互いに貼り合わせた複数枚の第１のシートと、
前記第１のシートと貼り合わせる１枚の第２のシートと、から構成された印刷可能な個人情報保護シートであって、
前記第１のシートは、インクを透過させる透過部と、インクを透過させない不透過部とを備え、
前記第２のシートは、インクを透過させない不透過部から成り、
貼り合わせた前記各々のシートを互いに剥離自在に構成したことを特徴とする個人情報保護シート。
【請求項２】
１又は互いに張り合わせた複数枚の第１のシートと、
前記第１のシートと貼り合わせる１枚の第２のシートと、から構成された印刷可能な個人情報保護シートであって、
前記第１のシートは、インクを透過させる透明な透過部と、インクを透過させない不透明な不透過部とを備え、
前記第２のシートは、インクを透過させない不透過部から成り、
貼り合わせた前記各々のシートを互いに剥離自在に構成したことを特徴とする個人情報保護シート。
【請求項３】
請求項２に記載された個人情報保護シートにおいて、
前記第２のシートは、前記第１のシートの前記不透過部に対応する部分に、所定の模様を有することを特徴とする個人情報保護シート。
【請求項４】
請求項１ないし３のいずれかに記載された個人情報保護シートにおいて、
前記透過部は、前記第１のシートに形成された孔又はインク透過性を有する合成樹脂材料で構成されていることを特徴とする個人情報保護シート。
【請求項５】
請求項１ないし４のいずれかに記載された個人情報保護シートにおいて、
前記第１のシートは、剥離時に複数に分割するための弱化された分割部を有することを特徴とする個人情報保護シート。
【請求項６】
請求項５に記載された個人情報保護シートにおいて、
前記第１のシートの前記分割部はミシン目であることを特徴とする個人情報保護シート。
【請求項７】
請求項１ないし６のいずれかに記載された個人情報保護シートにおいて、
前記第１のシートと第２のシートは、部分的に粘着力が異なるように互いに粘着剤によって貼り合わされていることを特徴とする個人情報保護シート。
【請求項８】
請求項１ないし７のいずれかに記載された個人情報保護シートにおいて、
前記第１及び／又は第２のシートは、その厚さ方向に収縮率が異なって形成されていることを特徴とする個人情報保護シート。
【発明の詳細な説明】
【技術分野】
【０００１】
本発明は、個人情報等の機密情報を印字するための個人情報保護シートに関し、特に、印字した機密情報を容易に判読不能にする個人情報保護シートに関する。
【背景技術】
【０００２】
従来、はがきや封書等の配送物を廃棄するときには、これらに印字された当該配送物の配送先、即ち受取人の氏名若しくは名称、並びにその住所、或いは差出人名及びその住所、又は封書の内容物（例えば給与明細、請求書等）の個人情報が流出することを防止するために、個人情報が印字された箇所を一つ一つ塗り潰したり、宛名ラベルを剥がし取ったり、或いは、ハサミやシュレッダーで裁断するといった措置が講じられている。
【０００３】
しかしながら、個人情報の記載の塗り潰し処理は、手作業で行うには時間と手間が掛かるといった問題がある。また、一見判読不能に塗り潰し処理を行ったとしても、塗り潰すために用いたインクの濃淡や反射率、赤外線による透過等によって判読し得るため、結果として従来の方法は不完全である。
【０００４】
また、個人情報の印字部分の裁断処理は、同様に手作業で行うには時間と手間がかかり、この裁断処理が十分に施されないときは、裁断された断片から個人情報が推測或いは特定できる虞がある。
シュレッダーを用いる場合は、裁断処理が十分に施されない可能性は低いが、シュレッダーを購入するための費用がかかるという問題がある。
【０００５】
この問題を解決するものとして、封書等に貼り付けた後、再度剥離でき、ミシン目やアンカット部を有するスリットを備え、封書等からの剥離後に、上記ミシン目によって容易に手で破いて裁断でき、シュレッダーを用いることなく、裁断処理を容易に行うことができるラベルが知られている（特許文献１参照）。
【０００６】
しかしながら、特許文献１に記載されたラベルを判読不能になるまで細かく分断するには、実際には手間も労力も要する。
特に、ラベルが小片になるにつれ、人の手で分断するときの煩雑さが増加するため、ラベルの個人情報印字部分をミシン目に沿って分断する手順を、封書等の受取人が予定通りに実行することは必ずしも容易ではない。
【０００７】
また、ラベル等の個人情報が記載されるシートを裁断することなく、印字された個人情報を消去するものとして、基材の表面にスクラッチ可能な受像層を形成し、この個人情報を印字した受像層を擦ることで、受像層とともに個人情報を削り取って消去することができる個人情報保護シートが知られている（特許文献２参照）。
【０００８】
しかしながら、この個人情報保護シートにおいて個人情報の印字部分、即ち受像層をスクラッチして、基材から剥離するためには、コイン等の固いもので受像層を擦りとる作業が必要となり、このコイン等では一度に大面積をスクラッチできないため、個人情報の消去の容易性及び即時実行性の点で十分とはいえない。
また、スクラッチした受像層の削りカスが発生するため、スクラッチ後に清掃を行う手間が発生する。
さらに、受像層を予め形成しておき、その上に印字するといった手順を踏む必要があるため、事前の下処理を要する点で煩雑である。
【特許文献１】特開２００１−１７５１７５号公報
【特許文献２】特開２００７−２１９３０７号公報
【発明の開示】
【発明が解決しようとする課題】
【０００９】
本発明は、上記従来の発明を解決するためになされたものであって、その目的は、ラベル等のシートに印字した個人情報を、容易かつ迅速に判読不能にして、個人情報の漏洩を防止することである。
【課題を解決するための手段】
【００１０】
本願の発明は、透明な１又は互いに貼り合わせた複数枚の第１のシートと、前記第１のシートと貼り合わせる１枚の第２のシートと、から構成された印刷可能な個人情報保護シートであって、前記第１のシートは、インクを透過させる透過部と、インクを透過させない不透過部とを備え、前記第２のシートは、インクを透過させない不透過部から成り、貼り合わせた前記各々のシートを互いに剥離自在に構成したことを特徴とする。
また、本願の発明は、１又は互いに張り合わせた複数枚の第１のシートと、前記第１のシートと貼り合わせる１枚の第２のシートと、から構成された印刷可能な個人情報保護シートであって、前記第１のシートは、インクを透過させる透明な透過部と、インクを透過させない不透明な不透過部とを備え、前記第２のシートは、インクを透過させない不透過部から成り、貼り合わせた前記各々のシートを互いに剥離自在に構成したことを特徴とする。
【発明の効果】
【００１１】
本発明によれば、ラベル等のシートに印字した個人情報を、容易かつ迅速に判読不能にすることができ、個人情報の漏洩を防止することができる。
【発明を実施するための最良の形態】
【００１２】
以下、本発明の実施形態に係る個人情報保護シートについて、添付した図面を参照して説明する。
図１は、個人情報保護シートの構成を示す図である。
図示のように、本個人情報保護シート１０は、各々特性の異なる三枚のシート（シート１、シート２、台紙３）から構成されており、シート２、シート１及び台紙３を、この順番で互いに接着して貼り合わせることで、本個人情報保護シートが１枚形成される。
【００１３】
シート１及びシート２は、透明な例えば合成樹脂フィルムから形成されており、シート２のシート１との接着面、及びシート１の台紙３との接着面には、それぞれ互いに剥離可能な粘着剤が塗布されている。
また、シート１及びシート２は、不透過部であるインクを透過しない材質Ａと、透過部であるインクを透過する材質Ｂとから形成されており、図中シート２上に吐出等されたインクは、その一部がインクを透過しない材質Ａ上に載ってシート２上に付着し、インクを透過する材質Ｂ上に載ったインクは、小さな孔又はインク透過性の合成樹脂材料を通過して、シート１上に達する。
【００１４】
さらに、シート２を通過してシート１上に達したインクは、その一部がインクを透過しない材質Ａ上に載ってシート１上に付着し、インクを透過する材質Ｂ上に載ったインクは、シート１を通過して、台紙３上に付着する。
なお、台紙３は全面がインクを透過しない材質Ａで構成されている。
即ち、本個人情報保護シート１０上に吐出したインクは、それぞれシート１、シート２及び台紙３上に付着し、それぞれに付着したインクにより所定の画像や文字を形成する。
【００１５】
図２は、文字を形成した個人情報保護シート１０を構成するシート１、シート２及び台紙３をそれぞれ剥離した状態を示す図である。
図示の例では、本個人情報保護シート１０に平仮名の「あ」が印字されている。
この個人情報保護シート１０には、それぞれのシートのインクを透過しない材質Ａで構成されている部分に「あ」が分割されて印字されており、シート２をシート１から、シート１を台紙３からそれぞれ剥離すると、図示のように、「あ」を分割して判読不能にすることができる。
【００１６】
以上で説明したように、本実施形態に係る個人情報保護シート１０は、本シート１０を構成するシート１、シート２及び台紙３を互いに剥離することで、本シート１０に形成された文字や図形を迅速かつ容易に判読不能にすることができ、個人情報の漏洩を防止することができる。
【００１７】
本個人情報保護シート１０を構成するシート枚数は、図１に示したようにシート１、シート２及び台紙３の３枚に限らず、２枚或いは４枚以上であってもよい。
図３は、１枚のシートと台紙３で構成した個人情報保護シート１０の平面図であり、図３Ａは印字された個人情報保護シート１０の平面図、図３Ｂは、個人情報保護シート１０を構成するシートの材質の境界を破線で示した図である。
図３Ａに示すように、この個人情報保護シート１０は、図１に示した個人情報保護シート１０と同様、平仮名の「あ」が印字されている。
【００１８】
この個人情報保護シート１０は、台紙３と、この台紙３に貼り付けられた透明な樹脂フィルム等のシート４とから構成されている。
このシート４は、図３Ｂに示すように、インクを透過しない材質Ａとインクを透過する材質Ｂとが、図中の破線を境界に、シートの縦方向に交互に配置されて一枚のシートを形成している。
従って、この個人情報保護シートのシート４上に吐出等したインクは、その一部がインクを透過しない材質Ａ上に載ってシート４上に付着し、インクを透過する材質Ｂ上に載ったインクは、シート４を通過して台紙３上に付着する。
【００１９】
なお、材質Ａが不透明である場合は、台紙３上のシート４の材質Ａに対応する部分（シート４を台紙３に貼り付けたときに材質Ａによって隠れる部分）に、予め規則的又はランダムな模様を印刷してもよい。これにより、シート４を台紙３から剥離したときに、台紙３の印字箇所を隠蔽することができ、台紙３に付着したインクから印字内容を推測することをより困難にすることができる。
【００２０】
図４は、本発明の他の実施形態に係る個人情報保護シートの平面図である。
この個人情報保護シート１０は、台紙３と、この台紙３に貼り付けられた複数の孔が形成された樹脂フィルム等のシート５とから構成されている。
シート５と台紙３との接着面には、互いに剥離可能な粘着剤が塗布されている。
この個人情報保護シート１０のシート５上に吐出等したインクは、その一部が上記シート５に形成された孔を通過して台紙３上に付着し、シート５及び台紙３上に所望の画像又は文字を形成する。即ち、シート５に形成された孔は、既に説明した実施形態に係る個人情報保護シート１０のインクを透過する材質Ｂで形成された部分と同様の効果、即ちインクを透過する効果を有する。
なお、台紙３は全面がインクを透過しない材質で構成されている。
【００２１】
シート５に形成される孔は、その径を小さくするとともに孔の数を増加させることで、シート５を台紙３から剥離したときに、それぞれのシートに形成された文字等の形状をよりぼかすことができ、印字内容を推測、或いは特定することを困難にすることができる。
また、台紙３上のシート５の孔が形成されていない部分に対応する部分（シート５を台紙３に貼り付けたときに隠れる部分）に、予め規則的又はランダムな模様を印刷しておくことで、シート５を台紙３から剥離したときに、台紙３の印字箇所を隠蔽することができ、印字内容を推測、或いは特定することを困難にすることができる。
【００２２】
既に説明したように、上述した個人情報保護シート１０は、印字した後に個人情報保護シート１０を構成する各シート、台紙３を剥離することで、印字した内容を判読不能にすることができる。
しかしながら、剥離した各シート及び台紙３を再度貼り合わせて、剥離前の状態に戻すことで、個人情報保護シート１０に印字した内容が認識できる虞がある。
そこで、本実施形態では、台紙３に貼り合わせるシートに予め分割部であるミシン目を形成しておき、上記シートを台紙３から剥離した後に、ミシン目に沿って容易に裁断（分割）することができるようにする。
【００２３】
図５は、個人情報保護シート１０を構成するミシン目を横方向に形成した上記シートの平面図であり、図６は、ミシン目をジグザグ状に形成したシートの平面図である。
図５及び図６に示すように、印字された個人情報保護シート１０から剥離したシート６，７には、印字内容が判読できないように、インクが透過しない材質Ａで形成されている部分にのみインクが付着しており、インクが透過する材質Ｂで形成されている部分に吐出等されたインクは、シートを通過して図示しない台紙３上に付着する。
【００２４】
図５に示すシート６には、横方向に並行して等間隔に複数のミシン目が形成されており、このミシン目に沿ってシートが裁断されると、裁断後のシートは全て同一サイズの短冊状に形成される。
例えば、本個人情報保護シート１０を用いた封書等を受け取った受取人は、台紙３からシート６を剥離した後、剥離したシート６をミシン目に沿って例えば手で破いて同一サイズに裁断することで、印字内容の判読を不能にするとともに、剥離したシート６を台紙３に貼り直す位置を他人に分かりづらくさせ、印字内容を推測、或いは特定することを防止することができる。
【００２５】
一方、図６に示すシート７には、ジグザグ状に一本のミシン目が形成されており、このミシン目に沿ってシートが裁断されると、裁断後のシート７は一対のくし形状に形成される。
例えば、本個人情報保護シート１０を用いた封書等を受け取った受取人は、図中（１）側の隅部と、図中（２）側の隅部とからシートを剥離して、シート７を２片のくし形の切片に分割する。また、剥離した一対のくし形のシート７は、手で破く等して容易に短冊状に形成することができ、剥離したシート７を台紙３に貼り直す位置を他人に分かりづらくさせ、印字内容を推測、或いは特定することを防止することができる。
【００２６】
なお、図６に示すシート７は、裁断したときのくし形が矩形となるようにミシン目が形成されているが、これに限らず、シートを剥離するときに、剥離するシートが意図しない箇所で裁断（切断）されなければ、例えばミシン目の形状をＳ字のような緩やかなカーブを描くように形成してもよい。
また、上記個人情報保護シート１０では、剥離したシート６，７を容易に裁断（分割）できるようにミシン目を形成しているが、これに限らず、シート６，７の強度が弱化するものであればよく、例えば切れ目や折り目を入れたり、裁断する部分の強度を弱く形成しておく等してもよい。
【００２７】
以上で説明した各個人情報保護シート１０を構成するシートの枚数を増加させることで、裁断された後のシート数が増加し、剥離したシートを再度台紙３に貼り合わせる場所を他人により分かりづらくさせることができる。
【００２８】
さらに、上記個人情報保護シート１０に印字する文字の一つ一つを細分化することで、文字の構成をわかりにくくする。例えば、１ｍｍ程度の点などで文字を構成し、それをシートと台紙３で分割等する。
【００２９】
加えて、本個人情報保護シート１０のシートと台紙３とを貼り合わせるための粘着剤の粘度を部分的に異なるようにする、即ち、部分的に強力にすることで、シートを台紙３から剥離するときに、台紙３のシートと強力に粘着した部分が破けるようにし、再度シートと台紙３とを貼り合わせるときに貼り合わせる位置を他人に分かりづらくさせることができる。
【００３０】
また、例えば、本個人情報保護シート１０を用いた封書等を受け取った受取人は、台紙３に貼り合わせるシートを剥離したときに、剥離したシートの粘着面同士を貼り合わせることで、剥離したシートを他人が台紙３に貼り直すことを防止することができる。
そのため、台紙３に貼り合わせるシートとして、厚さ方向に収縮率が異なる材質で形成されたシート、例えば２層構造のシートを用いることで、シートを受取人が剥がすと、厚さ方向の収縮率の違いにより、自然にカールしてシートの粘着面同士が貼り付き合うことを促すことができる。
【００３１】
また、台紙３自体に予め折り目等を付けておき、例えば受取人が台紙３からシートを剥がした後、封書から台紙３を剥離して、台紙３に残った粘着性を利用して折り目に従って折りたたむことで、台紙３に印字されている文字の存在を隠蔽することができるとともに、剥離したシートを貼り直すことを防止することができる。
なお、台紙３も、上記シートと同様に厚さ方向に収縮率が異なる材質で形成しておくことで、台紙３を封書等から剥離したときに、自然にカールさせて、台紙３の粘着面同士が貼り付き合うことを促進することができる。
【００３２】
以上で説明したように、本実施形態に係る個人情報保護シート１０は、台紙３からシートを剥離することで、容易に印字内容を判読不能にすることができる。
また、剥離したシートを容易に裁断することができるとともに、剥離後のシートと台紙のそれぞれの粘着面同士が貼り付き合うことを促進することができるから、剥離したシートを台紙３と再度貼り合わせて印字内容を復元することを防止し、個人情報等の漏洩を防止することができる。
なお、本個人情報保護シート１０の各シートの上記インクを透過する部分は、インクに限らず、例えば粘着剤等も透過する。
【００３３】
次に、本発明の実施形態に係る印刷方法について説明する。
上述したように本実施形態に係る個人情報保護シート１０への印刷（印字）は、個人情報保護シート１０上にインク等を吐出することで行うが、本実施形態に係る印刷方法では、台紙上にインク等を付着させて行う。
【００３４】
即ち、本実施形態に係る印刷方法では、台紙上に粘着剤を塗布した後、例えば真空状態において、タンニン等の酸化により変色する色素を利用した有色の粘着剤又はインクを用いて台紙上に所望の文字等を形成して、この有色のインクが空気と接触しないように、空気透過性のないシートを台紙に貼り合わせる。
なお、台紙は、酸化後のインクと同一色のものを用いる。
【００３５】
例えば、本印刷方法にて印刷した個人情報保護シートを用いた封書等を受け取った受取人が台紙からシートを剥離すると、文字等を形成する有色のインクの原料が空気と接触して酸化し、台紙と同一色に変色するため、印字内容が判読不能になり、印字内容を特定することを防止することができる。
なお、上記文字等を形成するインクとして、有色であって酸化後に台紙と同一色に変色する粘着剤を用いてもよい。
【図面の簡単な説明】
【００３６】
【図１】個人情報保護シートの構成を示す図である。
【図２】文字を形成した個人情報保護シートを構成するシート及び台紙をそれぞれ剥離した状態を示す図である。
【図３】１枚のシートと台紙で構成した個人情報保護シートの平面図である。
【図４】他の実施形態に係る個人情報保護シートの平面図である。
【図５】個人情報保護シートを構成するミシン目を横方向に形成したシートの平面図である。
【図６】ミシン目をジグザグ状に形成したシートの平面図である。
【符号の説明】
【００３７】
１，２，４，５，６，７・・・シート、３・・・台紙、１０・・・個人情報保護シート。
【図１】
2010085635.tif 000003
【図２】
2010085635.tif 000004
【図３】
2010085635.tif 000005
【図４】
2010085635.tif 000006
【図５】
2010085635.tif 000007
【図６】
2010085635.tif 000008